(57)【要約】      （修正有）【課題】高品質な画像を表示することが可能な表示装置及び表示パネルの駆動方法を提供する。【解決手段】表示パネルとその前方の視聴者との間の視聴距離を測定し、この視聴距離に基づき単位表示期間内に設けるべきサブフィールドの数を設定する。更に、入力映像信号によって示される各フレーム毎の平均輝度に応じて、単位表示期間内において表示セルを発光させるべく印加するサスティンパルスの総数を設定する。この際、視聴距離が大なるほどサスティンパルスの総数を増加させるべき調整を行う。【選択図】図４
2008268673.tif 000002
【特許請求の範囲】
【請求項１】
画素を担う表示セルの複数が配列された表示パネルを、入力映像信号における単位表示期間毎に複数のサブフィールドにて駆動することにより画像表示を行う表示装置であって、
前記サブフィールド各々において前記表示セル各々を前記入力映像信号に基づき点灯モード及び消去モードの内の一方の状態に設定するアドレス手段と、
前記サブフィールド各々においてそのサブフィールドの輝度重みに対応した回数分だけサスティンパルスを前記表示セル各々に繰り返し印加することにより前記点灯モードの状態にある前記表示セルのみを前記輝度重みに対応した輝度レベルで発光させるサスティン手段と、
前記表示パネルとその前方の視聴者との間の距離を視聴距離として測定する視聴距離測定手段と、
前記視聴距離に応じて前記単位表示期間内に設けるべき前記サブフィールドの数を設定するサブフィールド構築手段と、を有することを特徴とする表示装置。
【請求項２】
前記サブフィールド構築手段は、前記視聴距離が小なる場合には大なる場合に比して前記単位表示期間内に設けるべき前記サブフィールドの数を多く設定することを特徴とする請求項１記載の表示装置。
【請求項３】
前記サブフィールド構築手段は、前記入力映像信号によって示される各フレーム毎の平均輝度に応じて、前記単位表示期間内において印加すべき前記サスティンパルスの総数を設定するサスティンパルス総数設定手段を含むことを特徴とする請求項１記載の表示装置。
【請求項４】
前記サブフィールド構築手段は、前記視聴距離に応じて前記サスティンパルスの総数を調整するサスティンパルス総数調整手段を更に含むことを特徴とする請求項３記載の表示装置。
【請求項５】
前記サスティンパルス総数調整手段は、前記視聴距離が大なるほど前記サスティンパルスの総数を増加させるべき調整を行うことを特徴とする請求項４記載の表示装置。
【請求項６】
前記サスティンパルス総数調整手段によって調整の施されたサスティンパルスの総数に基づき、前記単位表示期間内に設けるべき前記サブフィールドの数を設定することを特徴とする請求項４記載の表示装置。
【請求項７】
前記表示装置が設置されている空間の明るさを環境照度として検出する環境照度検出手段を更に備え、
前記サブフィールド構築手段は、前記環境照度に基づき前記表示パネルに表示される画像の表示輝度と前記表示パネルを眺めた際に視覚される視覚輝度との対応関係を表す視感度特性データを生成する視感度特性生成手段と、
前記視感度特性データに基づき、前記単位表示期間内において設定された前記サブフィールド数分の各サブフィールドが担う輝度範囲における隣接サブフィールド同士の輝度区切り値を夫々求める手段と、
前記サブフィールド各々に対応した前記輝度区切り値の内の隣接するもの同士の差分値に基づき前記サブフィールド各々の前記輝度重みを設定する手段と、を更に含むことを特徴とする請求項１記載の表示装置。
【請求項８】
前記サブフィールド構築手段は、前記入力映像信号における各フレーム毎に各輝度レベルの現出頻度を示す輝度レベル頻度を求め、当該輝度レベル頻度を輝度レベルの大小順に沿って順に加算することにより各輝度レベルに対応する累積輝度頻度を示す累積輝度頻度データを求める輝度ヒストグラム演算手段と、
前記累積輝度頻度データに基づき、前記サブフィールド各々に対応した前記輝度区切り値各々の値を補正する区切り値補正手段と、を更に含むことを特徴とする請求項７記載の表示装置。
【請求項９】
前記視聴距離に応じて前記累積輝度頻度データを補正する手段を更に備えたことを特徴とする請求項８記載の表示装置。
【請求項１０】
前記表示装置が設置されている空間の明るさを環境照度として検出する環境照度検出手段を更に備え、
前記サブフィールド構築手段は、前記入力映像信号によって示される画像１フレーム分毎の平均輝度及びピーク輝度に基づき前記表示パネルの表示画面から視覚される画面視覚輝度を求める画面視覚輝度算出手段と、
前記視聴距離に基づく混合比にて前記環境照度及び前記画面視覚輝度を混合することにより順応輝度を求める順応輝度算出手段と、
前記順応輝度に基づき前記表示パネルに表示される画像の表示輝度と前記表示パネルを眺めた際に視覚される視覚輝度との対応関係を表す視感度特性データを生成する視感度特性生成手段と、
前記視感度特性データに基づき、前記単位表示期間内において設定された前記サブフィールド数分の各サブフィールドが担う輝度範囲における隣接サブフィールド同士の輝度区切り値を夫々求める手段と、
前記サブフィールド各々に対応した前記輝度区切り値の内の隣接するもの同士の差分値に基づき前記サブフィールド各々の前記輝度重みを設定する手段と、を更に含むことを特徴とする請求項１記載の表示装置。
【請求項１１】
前記順応輝度に応じて前記サスティンパルスの総数を調整するサスティンパルス総数調整手段を更に含むことを特徴とする請求項１０記載の表示装置。
【請求項１２】
前記サスティンパルス総数調整手段は、前記順応輝度が高いほど前記サスティンパルスの総数を増加させるべき調整を行うことを特徴とする請求項１１記載の表示装置。
【請求項１３】
画素を担う表示セルの複数が配列された表示パネルを、入力映像信号における単位表示期間毎に複数のサブフィールドにて駆動するに際し、前記サブフィールド各々において前記表示セル各々を前記入力映像信号に基づき点灯モード及び消去モードの内の一方の状態に設定し、前記サブフィールド各々においてそのサブフィールドの輝度重みに対応した回数分だけサスティンパルスを前記表示セル各々に繰り返し印加することにより前記点灯モードの状態にある前記表示セルのみを前記輝度重みに対応した輝度レベルで発光させることにより画像表示を行う表示パネルの駆動方法であって、
前記表示パネルとその前方の視聴者との間の距離を視聴距離として測定し、
前記視聴距離に応じて前記単位表示期間内に設けるべき前記サブフィールドの数を設定することを特徴とする表示パネルの駆動方法。
【請求項１４】
前記視聴距離が小なる場合には大なる場合に比して前記単位表示期間内に設けるべき前記サブフィールドの数を多く設定することを特徴とする請求項１３記載の表示パネルの駆動方法。
【請求項１５】
前記入力映像信号によって示される各フレーム毎の平均輝度に応じて、前記単位表示期間内において印加すべき前記サスティンパルスの総数を設定することを特徴とする請求項１３記載の表示パネルの駆動方法。
【請求項１６】
更に前記視聴距離に応じて前記サスティンパルスの総数を調整することを特徴とする請求項１５記載の表示パネルの駆動方法。
【請求項１７】
前記視聴距離が大なるほど前記サスティンパルスの総数を増加させるべき調整を行うことを特徴とする請求項１６記載の表示パネルの駆動方法。
【請求項１８】
調整の施された前記サスティンパルスの総数に基づき、前記単位表示期間内に設けるべき前記サブフィールドの数を設定することを特徴とする請求項１６記載の表示パネルの駆動方法。
【請求項１９】
更に前記表示パネルが設置されている空間の明るさを環境照度として検出し、
前記環境照度に基づき前記表示パネルに表示される画像の表示輝度と前記表示パネルを眺めた際に視覚される視覚輝度との対応関係を表す視感度特性データを生成し、
前記視感度特性データに基づき、前記単位表示期間内において設定された前記サブフィールド数分の各サブフィールドが担う輝度範囲における隣接サブフィールド同士の輝度区切り値を夫々求め、
前記サブフィールド各々に対応した前記輝度区切り値の内の隣接するもの同士の差分値に基づき前記サブフィールド各々の前記輝度重みを設定することを特徴とする請求項１３記載の表示パネルの駆動方法。
【請求項２０】
更に前記入力映像信号における各フレーム毎に各輝度レベルの現出頻度を示す輝度レベル頻度を求め、当該輝度レベル頻度を輝度レベルの大小順に沿って順に加算することにより各輝度レベルに対応する累積輝度頻度を示す累積輝度頻度データを求め、
前記累積輝度頻度データに基づき、前記サブフィールド各々に対応した前記輝度区切り値各々の値を補正することを特徴とする請求項１９記載の表示パネルの駆動方法。
【請求項２１】
更に前記視聴距離に応じて前記累積輝度頻度データを補正することを特徴とする請求項２０記載の表示パネルの駆動方法。
【請求項２２】
更に前記表示パネルが設置されている空間の明るさを環境照度として検出し、
前記入力映像信号によって示される画像１フレーム分毎の平均輝度及びピーク輝度に基づき前記表示パネルの表示画面から視覚される画面視覚輝度を求め、
前記視聴距離に基づく混合比にて前記環境照度及び前記画面視覚輝度を混合することにより順応輝度を求め、
前記順応輝度に基づき前記表示パネルに表示される画像の表示輝度と前記表示パネルを眺めた際に視覚される視覚輝度との対応関係を表す視感度特性データを生成し、
前記視感度特性データに基づき、前記単位表示期間内において設定された前記サブフィールド数分の各サブフィールドが担う輝度範囲における隣接サブフィールド同士の輝度区切り値を夫々求め、
前記サブフィールド各々に対応した前記輝度区切り値の内の隣接するもの同士の差分値に基づき前記サブフィールド各々の前記輝度重みを設定することを特徴とする請求項１３記載の表示パネルの駆動方法。
【請求項２３】
更に前記順応輝度に応じて前記サスティンパルスの総数を調整することを特徴とする請求項２２記載の表示パネルの駆動方法。
【請求項２４】
前記順応輝度が高いほど前記サスティンパルスの総数を増加させるべき調整を行うことを特徴とする請求項２３記載の表示パネルの駆動方法。
【発明の詳細な説明】
【技術分野】
【０００１】
本発明は、入力映像信号に対応した画像を表示する表示装置及び表示パネルの駆動方法に関する。
【背景技術】
【０００２】
現在、薄型平面の表示パネルとしてプラズマディスプレイパネル（以下、ＰＤＰと称する）、あるいはエレクトロルミネセントディスプレイパネル（以下、ＥＬＤＰと称する）を搭載した表示装置が知られている。これらＰＤＰ及びＥＬＤＰにおいて各画素を担う発光素子は「点灯」及び「消灯」の２状態しかもたない。そこで、入力された映像信号に対応した中間調の輝度を得るべく、サブフィールド法を用いてＰＤＰ及びＥＬＤＰの如き表示パネルを階調駆動するようにしている。
【０００３】
サブフィールド法では、入力された映像信号における１フィールド表示期間を、夫々に輝度重みに対応した発光回数が割り当ててある複数のサブフィールドに分割する。ここで、表示パネルの各画素を入力映像信号に応じて各サブフィールド毎に「点灯」及び「消灯」状態の内の一方の状態に設定し、各サブフィールド毎に「点灯」状態にある画素をそのサブフィールドに割り当てられている発光回数だけ発光させる。かかる駆動方法によれば、１フィールド表示期間内の各サブフィールドで実行された発光回数の合計により入力映像信号に対応した中間調の輝度が表現される。
【０００４】
更に、近年、入力映像信号に基づき１画面毎に、各輝度毎の頻度を示す輝度頻度データを生成し、かかる輝度頻度データに基づいて全ての輝度領域を対象として、その頻度に応じてサブフィールドの数を調整するようにした駆動方法が提案された（例えば特許文献１参照）。かかる駆動方法により、頻度が大なる輝度を含む輝度区分領域ほどその輝度区分領域に割り当てるべきサブフィールドの数を多くすれば、入力映像信号に基づく画像の明るさに追従した良好な階調表現（滑らかな輝度変化）が為されるようになる。
【０００５】
しかしながら、このような駆動方法を採用して画像表示を行っても、高品質な画像が視覚されない場合があった。
【特許文献１】特開２００４−２４０１０３号公報
【発明の開示】
【発明が解決しようとする課題】
【０００６】
本発明は、高品質な画像を表示することが可能な表示装置及び表示パネルの駆動方法を提供することを目的とする。
【課題を解決するための手段】
【０００７】
請求項１記載による表示装置は、画素を担う表示セルの複数が配列された表示パネルを、入力映像信号における単位表示期間毎に複数のサブフィールドにて駆動することにより画像表示を行う表示装置であって、前記サブフィールド各々において前記表示セル各々を前記入力映像信号に基づき点灯モード及び消去モードの内の一方の状態に設定するアドレス手段と、前記サブフィールド各々においてそのサブフィールドの輝度重みに対応した回数分だけサスティンパルスを前記表示セル各々に繰り返し印加することにより前記点灯モードの状態にある前記表示セルのみを前記輝度重みに対応した輝度レベルで発光させるサスティン手段と、前記表示パネルとその前方の視聴者との間の距離を視聴距離として測定する視聴距離測定手段と、前記視聴距離に応じて前記単位表示期間内に設けるべき前記サブフィールドの数を設定するサブフィールド構築手段と、を有する。
【０００８】
又、請求項１３記載による表示パネルの駆動方法は、画素を担う表示セルの複数が配列された表示パネルを、入力映像信号における単位表示期間毎に複数のサブフィールドにて駆動するに際し、前記サブフィールド各々において前記表示セル各々を前記入力映像信号に基づき点灯モード及び消去モードの内の一方の状態に設定し、前記サブフィールド各々においてそのサブフィールドの輝度重みに対応した回数分だけサスティンパルスを前記表示セル各々に繰り返し印加することにより前記点灯モードの状態にある前記表示セルのみを前記輝度重みに対応した輝度レベルで発光させることにより画像表示を行う表示パネルの駆動方法であって、前記表示パネルとその前方の視聴者との間の距離を視聴距離として測定し、前記視聴距離に応じて前記単位表示期間内に設けるべき前記サブフィールドの数を設定する。
【発明を実施するための最良の形態】
【０００９】
表示パネルとその前方の視聴者との間の視聴距離を測定し、この視聴距離が小なる場合には大なる場合に比して単位表示期間内に設けるべきサブフィールドの数を多く設定する。更に、入力映像信号によって示される各フレーム毎の平均輝度に応じて、単位表示期間内において表示セルを発光させるべく印加するサスティンパルスの総数を設定する。この際、視聴距離が大なるほどサスティンパルスの総数を増加させるべき調整を行う。
【００１０】
これにより、ディザパターンが目立ち易くなる視聴状態、つまり視聴距離が近い場合には、単位表示期間内のサブフィールド数が増えることにより表示画像のＳ／Ｎが高まるので、ディザパターンが目立ちにくい高品質な画像が視覚されるようになる。又、視聴距離が遠い場合には、単位表示期間内において印加されるサスティンパルスの総数が増えることにより画面全体の輝度を高めた見やすい画像が視覚されるようになる。
【実施例】
【００１１】
図１は、本発明に基づくプラズマディスプレイ装置の構成を示す図である。
【００１２】
図１において、プラズマディスプレイパネルとしてのＰＤＰ１０は、放電ガスが封入されている放電空間を挟んで対向配置された前面透明基板及び背面基板（図示せぬ）を備えている。前面透明基板上には２次元画面の横方向（水平方向）に夫々伸張して配列された行電極Ｘ1〜Ｘn及び行電極Ｙ1〜Ｙnが形成されている。これら行電極Ｘ1〜Ｘn及び行電極Ｙ1〜Ｙnは、夫々一対の行電極Ｘi及びＹi(ｉ：1〜n)にて、ＰＤＰ１０における第１〜第ｎ表示ラインを担っている。背面基板上には、行電極Ｘ1〜Ｘn及び行電極Ｙ1〜Ｙn各々と交叉するように、２次元表示画面の縦方向（垂直方向）に夫々伸張して配列された列電極Ｄ1〜Ｄmが形成されている。上記放電空間を含む各行電極対（Ｘ、Ｙ）と列電極Ｄとの交叉部に、画素としての放電セル（表示セル）Ｐが形成される構造となっている。すなわち、ＰＤＰ１０には、第１行・第１列の放電セルＰ(1,1)〜第ｎ行・第ｍ列の放電セルＰ(n,m)からなる（ｎ×ｍ）個の放電セルＰがマトリクス状に配列されているのである。
【００１３】
Ａ／Ｄ変換器１は、入力映像信号ＶＤを各画素（放電セルＰ）毎にその輝度レベルを例えば８ビットで表す画素データＰＤに変換してフレームメモリ２に供給する。フレームメモリ２は、これら画素データＰＤ(1,1)〜ＰＤ(n,m)の各々を順次書き込み、その書き込まれた画素データＰＤ(1,1)〜ＰＤ(n,m)の各々を順次読み出してＳＦデータ生成回路３に供給する。
【００１４】
ＳＦデータ生成回路３は、フレームメモリ２から順次読み出された画素データＰＤに対し、先ず、誤差拡散処理及びディザ処理等からなる多階調化処理を施す。例えば、ＳＦデータ生成回路３は、画素データＰＤの上位ビット群を表示データ、残りの下位ビット群を誤差データと捉える。ＳＦデータ生成回路３は、周辺画素各々に対応した画素データにおける上記誤差データを重み付け加算したものを、上記表示データに反映させることにより誤差拡散処理画素データを得る（誤差拡散処理）。次に、ＳＦデータ生成回路３は、互いに隣接する複数の画素からなる画素群毎に、各画素に対応した上記誤差拡散処理画素データに夫々、互いに異なる係数値からなるディザ係数を夫々割り当てて加算し、その加算結果中の所定の上位ビット群を多階調化画素データとして得る（ディザ処理）。
【００１５】
次に、ＳＦデータ生成回路３は、上記多階調化画素データに基づき、図２に示す如きＮ個（Ｎ：整数）のサブフィールドＳＦ１〜ＳＦ（Ｎ）各々において、放電セルＰを点灯及び消灯モードの内のいずれの状態に設定するのかを各ビット毎に示すＳＦデータＧＤを生成する。尚、１フレーム表示期間内でのサブフィールドの総数Ｎは、後述するＳＦ数信号ＳＦＮによって指定された数である。ＳＦデータ生成回路３は、各画素毎のＳＦデータＧＤ各々を順次、ＳＦメモリ４に供給する。
【００１６】
ＳＦメモリ４は、各画素毎のＳＦデータＧＤ各々を順次書き込み、１フレーム分の書き込みが終了する度に、以下の如き読み出し動作を行う。ＳＦメモリ４は、図２に示す如きサブフィールドＳＦ１〜ＳＦ（Ｎ）各々において、１フレーム分のＳＦデータＧＤ各々から、そのサブフィールドに対応したビット桁を分離して読み出し、夫々ＳＦ１〜ＳＦ（Ｎ）アドレスデータビットＤＢとしてアドレスドライバ６に供給する。
【００１７】
駆動制御回路２０は、上記ＳＦ数信号ＳＦＮ及び後述するＳＵＳパルス数信号ＳＵ１〜ＳＵ(N)に基づく図２に示す発光駆動シーケンスに従って、ＰＤＰ１０を駆動すべき各種駆動制御信号を、アドレスドライバ６、Ｘ電極ドライバ７及びＹ電極ドライバ８からなるパネルドライバに供給する。すなわち、駆動制御回路２０は、図２に示す如きサブフィールドＳＦ１〜ＳＦ（Ｎ）各々において、アドレス行程Ｗ及びサスティン行程Ｉ各々に従った駆動を順次実施させるべき各種制御信号をパネルドライバに供給する。又、駆動制御回路２０は、先頭のサブフィールドＳＦ１に限り、アドレス行程Ｗに先立ち、リセット行程Ｒに従った駆動を実施させるべき各種制御信号をパネルドライバに供給する。パネルドライバ（アドレスドライバ６、Ｘ電極ドライバ７及びＹ電極ドライバ８）は、駆動制御回路２０から供給された各種制御信号に応じた駆動パルスを生成してＰＤＰ１０の列電極Ｄ、行電極Ｘ及びＹに供給する。
【００１８】
先ず、先頭のサブフィールドＳＦ１のリセット行程Ｒでは、Ｘ電極ドライバ７及びＹ電極ドライバ８が、リセットパルスを全ての行電極Ｘ1〜Ｘn及び行電極Ｙ1〜Ｙnに印加する。かかるリセットパルスの印加に応じて、全ての放電セルＰ内においてリセット放電が生起され、全放電セルＰ内には所定量の壁電荷が形成される。これにより、全ての放電セルＰは点灯モードの状態に初期化される。又、サブフィールドＳＦ１〜ＳＦ（Ｎ）各々のアドレス行程Ｗでは、アドレスドライバ６が、ＳＦメモリ４から供給されたＳＦアドレスデータビットＤＢの論理レベルに対応したパルス電圧を有する画素データパルスを生成する。例えば、アドレスドライバ６は、ＳＦアドレスデータビットＤＢが論理レベル１である場合には高電圧、論理レベル０である場合には低電圧の画素データパルスを生成する。そして、アドレスドライバ６は、かかる画素データパルスを１表示ライン分（ｍ個）ずつの画素データパルス群として列電極Ｄ1〜Ｄmに印加する。更に、アドレス行程Ｗでは、Ｙ電極ドライバ８が、各画素データパルス群の印加タイミングと同一タイミングにて、走査パルスを行電極Ｙ1〜Ｙnへと順次印加して行く。この際、走査パルスが印加された行電極と、高電圧の画素データパルスが印加された列電極との交叉部の放電セルＰにのみ選択的に放電が生じ、その放電セルＰ内に残存していた壁電荷が消去される。つまり、壁電荷を失った放電セルＰは消灯モードに設定されるのである。一方、かかる放電が生起されなかった放電セルＰはその直前までの状態、つまり点灯モード又は消灯モードの状態を維持する。
【００１９】
サブフィールドＳＦ１〜ＳＦ(N)各々のサスティン行程Ｉでは、Ｘ電極ドライバ７及びＹ電極ドライバ８が、そのサブフィールドに対応したＳＵＳパルス数信号ＳＵにて示されている回数分だけ、行電極Ｘ1〜Ｘn及びＹ1〜Ｙnに対して交互に繰り返しサスティンパルスを印加する。この際、ＳＵＳパルス数信号ＳＵ１〜ＳＵ(N)各々は、夫々サブフィールドＳＦ１〜ＳＦ(N)に対応しており、そのサブフィールドＳＦのサスティン行程Ｉで印加すべきサスティンパルスの数を示すものである。従って、Ｘ電極ドライバ７及びＹ電極ドライバ８は、例えば、サブフィールドＳＦ１のサスティン行程ＩではＳＵＳパルス数信号ＳＵ１、サブフィールドＳＦ２のサスティン行程ＩではＳＵＳパルス数信号ＳＵ２にて示される回数分だけ繰り返しサスティンパルスを印加する。かかるサスティンパルスの印加により、壁電荷が残留したままとなっている放電セルＰ、すなわち点灯モードの状態にある放電セルＰのみが、このサスティンパルスが印加される度にサスティン放電し、そのサスティン放電に伴う発光状態を維持する。
【００２０】
以上の如き駆動により、各フレーム（フィールド）表示期間内において生起されたサスティン放電の総数に対応した輝度が視覚される。
【００２１】
ここで、上述した如きＳＦ数信号ＳＦＮ及びＳＵＳパルス数信号ＳＵ１〜ＳＵ(N)は、図１に示される視聴距離センサ２１、照度センサ２２、及びＳＦ構築回路２３にて生成される。
【００２２】
視聴距離センサ２１は、ＰＤＰ１０における表示画面と、この表示画面に表示された画像を鑑賞すべく表示画面の前方に存在する視聴者との間の距離（以下、視聴距離と称する）を検出しその距離を示す視聴距離信号ＬｅをＳＦ構築回路２３に供給する。視聴距離センサ２１は、例えば、熱線センサと超音波センサとから構成される。熱線センサは、表示画面の前方に存在する物体（床、壁、椅子等）又は人体から照射される遠赤外線の量を検出し、その検出量が所定量以上となる状態が一定期間継続した場合にのみ人体の存在を検知したことを示す人体検知信号を超音波センサに供給する。超音波センサは、この人体検知信号が供給されていない間において、少なくとも１度だけ表示画面の前方に向けて超音波を照射し、その反射波のパターンを非人体反射パターンとして記憶しておく。一方、上記人体検知信号が供給された際には、超音波センサは、表示画面の前方に向けて超音波を照射し、その反射波のパターン中から上記非人体反射パターンには存在しない反射波を人体反射波として抽出する。そして、超音波センサは、超音波の照射開始からこの人体反射が帰ってくるまでの遅延時間を測定し、かかる遅延時間に基づいて視聴距離を示す視聴距離信号Ｌｅを算出するのである。また、この視聴距離センサ２１として、視聴位置にマイクを設置し、プラズマディスプレイ装置に設けられたスピーカーから発せられる音をこのマイクが集音することにより、スピーカーからマイクまでの音の到達時間を検出して、その検出結果に基づいて視聴距離を検出する構成を用いてもよい。
【００２３】
照度センサ２２は、このプラズマディスプレイ装置が設置されている空間の明るさ（以下、環境照度と称する）を検出し、この明るさを示す環境照度信号ＹをＳＦ構築回路２３に供給する。尚、環境照度には、このプラズマディスプレイ装置の画面から発せられる光の影響は含まれていないものとする。
【００２４】
これら照度センサ２３及び視聴距離センサ２４は、例えば図３（ａ）に示す如きプラズマディスプレイ装置の表示面１１の周辺部、つまり画面枠１２の表面上に設置する。この際、照度センサ２３は、図３（ｂ）に示す如く、プラズマディスプレイ装置の後面側の外装筐体表面上に設けるようにしても良い。
【００２５】
図４は、ＳＦ構築回路２１の内部構成の一例を示す図である。
【００２６】
図４において、基本ＳＵＳパルス総数設定回路２３１は、先ず、映像信号ＶＤによって示される輝度レベルに基づき、画像１フレーム（又は１フィールド）分毎の平均輝度を求める。次に、基本ＳＵＳパルス総数設定回路２３１は、かかる平均輝度に応じて、１フレーム（又は１フィールド）表示期間（以下、単位表示期間と称する）内において印加すべきサスティンパルスの総数を決定する。例えば、基本ＳＵＳパルス総数設定回路２３１には、各平均輝度とその平均輝度に対応した最適なサスティンパルスの印加総数を示す情報とが対応付けされているルックアップテーブルが予め記憶されている。基本ＳＵＳパルス総数設定回路２３１は、このルックアップテーブル中から、上記平均輝度に対応したサスティンパルスの総数を示す情報を読み出す。そして、基本ＳＵＳパルス総数設定回路２３１は、かかるサスティンパルスの総数を表す基本ＳＵＳパルス総数信号ＳＰＮBAをパルス総数調整回路２３２に供給する。
【００２７】
パルス総数調整回路２３２は、基本ＳＵＳパルス総数信号ＳＰＮBAにて示されるサスティンパルス総数を、視聴距離センサ２１から供給された視聴距離信号Ｌeに応じて調整する。この際、パルス総数調整回路２３２は、視聴距離信号Ｌeにて示される視聴距離が大なるほど、サスティンパルス総数が多くなるような調整を基本ＳＵＳパルス総数信号ＳＰＮBAに対して施して得られたＳＵＳパルス総数信号ＳＰＮを、ＳＦ数設定回路２３３及びＳＵＳパルス数割当演算回路２３４に供給する。
【００２８】
ＳＦ数設定回路２３３は、ＳＵＳパルス総数信号ＳＰＮにて示されるサスティンパルスの総数に基づき、単位表示期間内において時間的に設けることが可能となる最大のサブフィールド数を求める。そして、ＳＦ数設定回路２３３は、この最大のサブフィールド数を表すＳＦ数信号ＳＦＮを、基本ＳＦ区切値生成回路２３６、並びに図１に示すＳＦデータ生成回路３及び駆動制御回路２０各々に供給する。尚、単位表示期間内において印加されるべきサスティンパルスの総数が大なるほど、単位表示期間内において物理的に設けることが可能となるサブフィールドの数は少なくなる。つまり、ＳＦ数設定回路２３３は、ＳＵＳパルス総数信号ＳＰＮにて示されるサスティンパルスの総数が大なるほど、小なるサブフィールド数を表すＳＦ数信号ＳＦＮを生成するのである。
【００２９】
視感度特性生成回路２３５には、視聴者が表示画像を鑑賞する環境の明るさ、つまり環境照度毎に、図５に示す如き、入力映像信号に基づく表示画像の輝度レベルと、その画像を眺めた際に実際に視聴者が視覚することになる視覚上の輝度との対応関係を表す視感度特性データＬＣ１〜ＬＣ３が予め記憶されている。すなわち、人間が表示画面を眺めた際に実際に認識できる輝度変化に対する感度（視感度）は、例えば図５中の視感度特性データＬＣ１に示すように、表示画像の輝度が低い場合には高い場合に比して高くなり、表示画像の微量な輝度変化まで認識できるようになる。更に、かかる視感度は、表示画像自体の輝度のみならず、周辺環境の照度の影響を受ける。例えば、環境照度が低い場合（図５中の視感度特性データＬＣ３）には、高い場合（図５中の視感度特性データＬＣ１）に比して、表示画像に対する視感度は高くなる。そこで、図５に示す如き環境照度における各照度毎の視感度特性を予め測定しておき、その視感度特性を表す視感度特性データ（ＬＣ１〜ＬＣ３）を内蔵メモリ（図示せぬ）に記憶させておくのである。
【００３０】
ここで、視感度特性生成回路２３５は、照度センサ２２から供給された環境照度信号Ｙが所定の第１照度よりも高い場合には図５に示す如き視感度特性データＬＣ１〜ＬＣ３の内からＬＣ１を読み出し、これを視感度特性データＬＣＤとして基本ＳＦ区切値生成回路２３６に供給する。又、視感度特性生成回路２３５は、環境照度信号Ｙが上記第１照度よりも低く且つ所定の第２照度よりも高い場合には図５に示す如き視感度特性データＬＣ１〜ＬＣ３の内からＬＣ２を読み出し、これを視感度特性データＬＣＤとして基本ＳＦ区切値生成回路２３６に供給する。又、視感度特性生成回路２３５は、環境照度信号Ｙが上記第２照度よりも低い場合には図５に示す如き視感度特性データＬＣ１〜ＬＣ３の内からＬＣ３を読み出し、これを視感度特性データＬＣＤとして基本ＳＦ区切値生成回路２３６に供給する。
【００３１】
基本ＳＦ区切値生成回路２３６は、上記ＳＦ数信号ＳＦＮにて示されるサブフィールド数（Ｎ個）のサブフィールドＳＦ１〜ＳＦ（Ｎ）各々が担う輝度範囲の各輝度区切り値を、視感度特性データＬＣＤに基づき以下の如く求める。
【００３２】
すなわち、基本ＳＦ区切値生成回路２３６は、先ず、図６に示す如く、視感度特性データＬＣＤにおける視覚上の全輝度範囲を、ＳＦ数信号ＳＦＮによって示されるサブフィールド数にて等間隔に区切る。尚、図６に示される一例では、ＳＦ数信号ＳＦＮによって示されるサブフィールド数が９個であり、９個のサブフィールドＳＦ１〜ＳＦ９を想定している。次に、基本ＳＦ区切値生成回路２３６は、視感度特性データＬＣＤにおける視覚上の全輝度範囲をサブフィールド数にて等間隔に区切った際の各境界値に対応した表示画像輝度を、この視感度特性データＬＣＤから求め、これらを基本ＳＦ区切値Ｓ１，Ｓ２，Ｓ３，・・・，Ｓ(N）としてＳＦ区切値補正回路２３８に供給する。
【００３３】
輝度ヒストグラム演算回路２３７は、先ず、入力された１フレーム（又は１フィールド）分の映像信号ＶＤに基づき、この映像信号ＶＤによって表現可能な輝度範囲中の各輝度レベル毎に、その輝度レベルで発光させるべき画素の数、つまり頻度を求める。次に、輝度ヒストグラム演算回路２３７は、上述した如く各輝度レベル毎に求めた頻度を、低輝度に対応したものから（又は高輝度に対応したものから）順に累積して加算して行き、各輝度レベル毎にその累算加算の途中結果を示す図７に示す如き累積輝度頻度データＳＱを求め、これをＳＦ区切値補正回路２３８に供給する。
【００３４】
ＳＦ区切値補正回路２３８は、基本ＳＦ区切値Ｓ１〜Ｓ(N）各々を、累積輝度頻度データＳＱに基づいて以下の如く補正することによりＳＦ区切値ＳＳ１〜ＳＳ(N）各々を得て、ＳＵＳパルス数割当演算回路２３４に供給する。
【００３５】
すなわち、ＳＦ区切値補正回路２３８は、先ず、図８に示す如く、上記視感度特性データＬＣＤにおける表示画像の輝度スケール（０〜Ｙmax）に、累積輝度頻度データＳＱの累積頻度のスケール（０〜全画素数）を一致させるように、この累積輝度頻度データＳＱを補正した累積輝度頻度データＳＱＱを求める。次に、ＳＦ区切値補正回路２３８は、図８に示す如く、累積輝度頻度データＳＱＱにて示される対応関係にて、基本ＳＦ区切値Ｓ１〜Ｓ(N）各々をＳＦ区切値ＳＳ１〜ＳＳ(N）に変換する。かかる変換処理によれば、累積頻度が多くなる輝度領域ほど、サブフィールドが細かく区切られるように基本ＳＦ区切値Ｓ１〜Ｓ(N）各々が補正され、最終的なＳＦ区切値ＳＳ１〜ＳＳ(N）が得られる。
【００３６】
ＳＵＳパルス数割当演算回路２３４は、先ず、ＳＦ区切値ＳＳ１〜ＳＳ(N）における隣接するもの同士の差分値を、サブフィールドＳＦ１〜ＳＦ(N)各々の輝度重み値として算出する。例えば、ＳＦ区切値ＳＳ１とＳＳ２との差分値がサブフィールドＳＦ１の輝度重み値となり、ＳＦ区切値ＳＳ２とＳＳ３との差分値がサブフィールドＳＦ２の輝度重み値となる。次に、ＳＵＳパルス数割当演算回路２３４は、上記ＳＵＳパルス総数信号ＳＰＮによって示されるサスティンパルスの総数を、上述した如き各サブフィールド毎の輝度重み値に基づく比率にて分割することにより、各サブフィールドに割り当てるべきサスティンパルス数を得る。そして、ＳＵＳパルス数割当演算回路２３４は、サブフィールドＳＦ１〜ＳＦ(N)各々に割り当てるべきサスティンパルス数を各サブフィールド毎に示すＳＵＳパルス数信号ＳＵ１〜ＳＵ(N)を駆動制御回路２０に供給する。
【００３７】
以上の如く、図４に示されるＳＦ構成回路２３では、先ず、入力映像信号（ＶＤ）に基づく１フレーム（又は１フィールド）分の画像毎に、その画像の平均輝度に応じて、単位表示期間内に印加すべきサスティンパルスの総数（ＳＰＮBA）を求める。次に、かかるサスティンパルスの総数（ＳＰＮBA）に対して、視聴距離（Ｌe）が大なるほどサスティンパルスの総数が多くなるような調整を施す。次に、かかる調整の施されたサスティンパルスの総数（ＳＰＮ）に基づき、単位表示期間内に設けるべきサブフィールドの数（ＳＦＮ）を決定する。この際、サスティンパルスの総数（ＳＰＮ）が大なるほど、単位表示期間内に設けるべきサブフィールドの数を少なくする。
【００３８】
更に、環境照度（Ｙ）に応じた視感度特性（ＬＣＤ）に基づき、各サブフィールドが担う輝度範囲の区切値（Ｓ１〜Ｓ(N)）を求める。そして、入力映像信号（ＶＤ）に基づく各輝度レベル毎の累積頻度に対応した変換特性（ＳＱＱ）にて、各区切り値（Ｓ１〜Ｓ(N)）に対して変換処理を施すことにより、最終的な区切り値（ＳＳ１〜ＳＳ(N)）を得る。この際、各区切り値（ＳＳ１〜ＳＳ(N)の内で隣接するもの同士の差分値が各サブフィールドの輝度重み値となり、この輝度重み値に基づく比率にてサスティンパルスの総数（ＳＰＮ）を分割することにより、各サブフィールドに割り当てるべきサスティンパルス数を得る。  よって、ＳＦ構成回路２３によって構築されたサブフィールド構造を有する発光駆動シーケンスに従った駆動によれば、入力映像信号に基づく画像の明るさと共に、その視聴環境の明るさに追従させた良好な階調表現（滑らかな輝度変化）が為されるようになる。
【００３９】
更に、ＳＦ構成回路２３によれば、ＰＤＰ１０の表示画面及び視聴者間の距離が近いほど、単位表示期間内において印加すべきサスティンパルスの総数が少なくなると共に、単位表示期間内に設けられるサブフィールドの数が多くなる。これにより、表示画像のＳ／Ｎが高まるので、ディザパターンが目立ちにくい高品質な画像が視覚されるようになる。
【００４０】
すなわち、輝度の多階調化を図るべく前述した如きディザ処理を行うと、表示画像中にこのディザ処理に伴うディザパターンが現れる。この際、ＰＤＰ１０の表示画面と視聴者との距離、つまり視聴距離が遠い場合にはディザパターンは視覚されないので、このディザパターンによる画質劣化が認識されることはない。ところが、視聴距離が近い場合にはディザパターンが視覚されるようになり、画質劣化が認識されてしまうという問題が生じる。
【００４１】
そこで、ＳＦ構成回路２３では、視聴距離が短い場合には、単位表示期間内に設けるべきサブフィールドの数を多くするようにしている。これにより、比較的表示画面から近い場所で画像鑑賞を行う場合にもディザパターンが目立たなくなるので、高品質な画像が視覚されるようになる。又、ＳＦ構成回路２３では、視聴距離が遠い場合には、近い場合に比して単位表示期間内において印加すべきサスティンパルスの総数を多くすることにより、画面全体の輝度を高めた見やすい画像が視覚されるようになる。
【００４２】
尚、図４に示されるＳＦ構築回路２３では、入力映像信号（ＶＤ）の平均輝度に応じて単位表示期間毎に印加すべきサスティンパルスの総数（ＳＰＮ）を求め、この総数に基づいて単位表示期間内に形成させるべきサブフィールド数（ＳＦＮ）を決定しているが、視聴距離（Ｌe）に基づき直にサブフィールド数（ＳＦＮ）を求めるようにしても良い。
【００４３】
図９は、かかる点に鑑みて為されたＳＦ構築回路２３の他の内部構成を示す図である。
【００４４】
尚、図９に示す構成では、図４に示されるパルス総数調整回路２３２及びＳＦ数設定回路２３３に代わり、ＳＦ数設定回路２４１、上限ＳＵＳパルス数決定回路２４２及び最小値選択回路２４３を採用した点を除く他の構成は図４に示されるものと同一である。よって、以下に、ＳＦ数設定回路２４１、上限ＳＵＳパルス数決定回路２４２及び最小値選択回路２４３の動作のみ説明する。
【００４５】
図９において、ＳＦ数設定回路２４１は、上記視聴距離信号Ｌeによって示される視聴距離に対応したサブフィールド数を決定し、このサブフィールド数を示すＳＦ数信号ＳＦＮを得る。例えば、ＳＦ数設定回路２４１には、ＰＤＰ１０の表示面からの各種視聴距離と、その視聴距離に対して最適なサブフィールド数を示す情報とが対応付けされているルックアップテーブルが予め記憶されている。尚、かかるルックアップテーブルでは、視聴距離が短くなるほど視覚上でのＳ／Ｎを高めるようにすべく、視聴距離が短い程、単位表示期間内に設けるべきサブフィールド数が多くなるような関係で両者が対応づけされている。ＳＦ数設定回路２４１は、このルックアップテーブル中から、上記視聴距離信号Ｌeにて示される視聴距離に対応したサブフィールド数を示す情報を読み出し、このサブフィールド数を示すＳＦ数信号ＳＦＮを基本ＳＦ区切値生成回路２３６及び上限SUSパルス数決定回路２４２、並びに図１に示すＳＦデータ生成回路３及び駆動制御回路２０に供給する。すなわち、ＳＦ数設定回路２４１は、視聴距離が短い程、単位表示期間内に設けるべきサブフィールドの数を多くするのである。
【００４６】
上限SUSパルス数決定回路２４２には、単位表示期間内に形成させるべきサブフィールドの数と、単位表示期間内で印加することが可能なサスティンパルス数の上限数を示す情報と、が対応付けされているルックアップテーブルが予め記憶されている。上限SUSパルス数決定回路２４２は、かかるルックアップテーブル中から、上記ＳＦ数信号ＳＦＮによって示されるサブフィールド数に対応したサスティンパルス数の上限数を読み出し、このサスティンパルス数の上限数を示す上限ＳＵＳパルス総数信号ＳＰＮMAXを最小値選択回路２４３に供給する。つまり、単位表示期間内に設けるサブフィールドの数が多くなる程、単位表示期間内において時間的に印加することが可能となるサスティンパルス数は減ることになる。そこで、上限ＳＵＳパルス数決定回路２４２では、上記ＳＦ数信号ＳＦＮによって示されるサブフィールド数に追従させて、単位表示期間内において印加することが可能となるサスティンパルス数の上限数を求めるのである。
【００４７】
最小値選択回路２４３は、基本ＳＵＳパルス総数設定回路２３１から供給された基本ＳＵＳパルス総数信号ＳＰＮBA及び上限ＳＵＳパルス総数信号ＳＰＮMAXの内からサスティンパルス数が少ない方を選択し、これを、単位表示期間内で印加すべきサスティンパルスの総数を示すＳＵＳパルス総数信号ＳＰＮとしてＳＵＳパルス数割当演算回路２３４に供給する。
【００４８】
かかる図９に示す如き内部構成を有するＳＦ構成回路２３によっても、入力映像信号に基づく画像の明るさと共に、その視聴環境の明るさに追従させた良好な階調表現（滑らかな輝度変化）が為されるようになる。更に、ＰＤＰ１０の表示画面及び視聴者間の距離が近いほど、単位表示期間内において印加すべきサスティンパルスの総数が少なくなると共に、単位表示期間内に設けられるサブフィールドの数が多くなる。よって、比較的表示画面から近い場所で画像鑑賞を行う場合にも、サブフィールド数の増加に伴いディザパターンが目立たなくなるので、高品質な画像が視覚されるようになる。
【００４９】
尚、図４及び図９に示される構成では、単位表示期間内に設けるべきサブフィールドの数（ＳＰＮ）は、視聴距離（Ｌe）が反映された数となるが、必ずしも常時、視聴距離（Ｌe）をサブフィールド数（ＳＰＮ）に反映させる必要はない。
【００５０】
図１０は、かかる点に鑑みて為されたＳＦ構築回路２３の他の内部構成を示す図である。
【００５１】
尚、図１０に示される基本ＳＵＳパルス総数設定回路２３１、ＳＵＳパルス数割当演算回路２３４、視感度特性生成回路２３５、基本ＳＦ区切値生成回路２３６、輝度ヒストグラム演算回路２３７、ＳＦ区切値補正回路２３８、各々は、図４に示されるものと同一であるので、それらの動作説明は省略する。
【００５２】
尚、図１０に示す構成では、図９に示されるＳＦ数設定回路２４１及び上限ＳＵＳパルス数決定回路２４２に代わり、ＳＦ数設定回路２５１、２５２、最大値選択回路２５３及び上限ＳＵＳパルス数決定回路２５４を採用した点を除く他の構成は図９に示されるものと同一である。よって、以下に、ＳＦ数設定回路２５１、２５２、最大値選択回路２５３及び上限ＳＵＳパルス数決定回路２５４の動作のみ説明する。
【００５３】
図１０において、ＳＦ数設定回路２５１は、上記視聴距離信号Ｌeによって示される視聴距離に対応したサブフィールド数を決定し、このサブフィールド数を示す第１ＳＦ数信号ＳＦＮ１を得る。例えば、ＳＦ数設定回路２５１には、ＰＤＰ１０の表示面からの各種視聴距離と、その視聴距離に対して最適なサブフィールド数を示す情報とが対応付けされているルックアップテーブルが予め記憶されている。尚、かかるルックアップテーブルでは、視聴距離が短くなるほど視覚上でのＳ／Ｎを高めるようにすべく、視聴距離が短い程、単位表示期間内に設けるべきサブフィールド数が多くなるような関係で両者が対応づけされている。ＳＦ数設定回路２５１は、このルックアップテーブル中から、上記視聴距離信号Ｌeにて示される視聴距離に対応したサブフィールド数を示す情報を読み出し、このサブフィールド数を示す第１ＳＦ数信号ＳＦＮ１を最大値選択回路２５３に供給する。
【００５４】
ＳＦ数設定回路２５２は、基本ＳＵＳパルス総数設定回路２３１から供給された基本ＳＵＳパルス総数信号ＳＰＮBAにて示されるサスティンパルスの総数に基づき、単位表示期間内において時間的に設けることが可能なサブフィールド数の最大数を求める。そして、ＳＦ数設定回路２５２は、この最大数を示す第２ＳＦ数信号ＳＦＮ２を最大値選択回路２５３に供給する。尚、単位表示期間内において印加されるべきサスティンパルスの総数が大なるほど、単位表示期間内において物理的に設けることが可能となるサブフィールドの数は少なくなる。つまり、ＳＦ数設定回路２５２は、基本ＳＵＳパルス総数信号ＳＰＮBAにて示されるサスティンパルスの総数が大なるほど、小なるサブフィールド数を表す第２ＳＦ数信号ＳＦＮ２を生成するのである。
【００５５】
最大値選択回路２５３は、上記第１ＳＦ数信号ＳＦＮ１及び第２ＳＦ数信号ＳＦＮ２の内からサブフィールド数の多い方を選択し、これをＳＦ数信号ＳＦＮとして基本ＳＦ区切値生成回路２３６、上限ＳＵＳパルス数決定回路２５４、並びに図１に示されるＳＦデータ生成回路３及び駆動制御回路２０に供給する。
【００５６】
又、最大値選択回路２５３は、上記第１ＳＦ数信号ＳＦＮ１及び第２ＳＦ数信号ＳＦＮ２の内でサブフィールド数の多い方を示すＳＦ数信号識別信号ＡＰを上限ＳＵＳパルス数決定回路２５４に供給する。
【００５７】
上限ＳＵＳパルス数決定回路２５４には、単位表示期間内に形成されるべきサブフィールドの数と、単位表示期間内で印加することが可能なサスティンパルス数の上限数を示す情報と、が対応付けされているルックアップテーブルが予め記憶されている。上限ＳＵＳパルス数決定回路２５４は、かかるルックアップテーブル中から、上記ＳＦ数信号ＳＦＮによって示されるサブフィールド数に対応したサスティンパルス数の上限数を読み出す。そして、上限ＳＵＳパルス数決定回路２５４は、上記ＳＦ数信号識別信号ＡＰが第１ＳＦ数信号ＳＦＮ１を示す場合にのみ、上述した如く読み出したサスティンパルス数の上限数を示す上限ＳＵＳパルス総数信号ＳＰＮMAXを最小値選択回路２３３に供給する。つまり、単位表示期間内に設けるサブフィールドの数が多くなる程、この単位表示期間内において時間的に印加することが可能となるサスティンパルス数は減ることになる。そこで、上限ＳＵＳパルス数決定回路２５４では、上記ＳＦ数信号ＳＦＮによって示されるサブフィールド数に追従させて、単位表示期間内において印加することが可能となるサスティンパルス数の上限数を求めるのである。
【００５８】
かかる構成により、図１０に示されるＳＦ構築回路２３では、視聴距離（Ｌe）のみに基づいて求めたサブフィールド数（ＳＦＮ１）と、入力映像信号（ＶＤ）のみにに基づいて求めたサブフィールド数（ＳＦＮ２）との内で大なる方を、最終的なサブフィールド数（ＳＦＮ）とするようにしている。
【００５９】
又、ＳＦ構築回路２３としては、図１１に示されるが如き内部構成を有するものを採用しても良い。
【００６０】
尚、図１１に示す構成では、ＳＦ数設定回路２３３、基本ＳＦ区切値生成回路２３６、輝度ヒストグラム演算回路２３７、ＳＦ区切値補正回路２３８及びＳＵＳパルス数割当演算回路２３４各々の動作については、図４に示すものと同一なので、これらの動作説明は省略する。
【００６１】
図１１において、基本ＳＵＳパルス総数設定回路２６０は、映像信号ＶＤによって示される画像１フレーム（又は１フィールド）分毎の平均輝度に応じて、単位表示期間内において印加すべきサスティンパルスの総数を決定する。例えば、基本ＳＵＳパルス総数設定回路２６０には、各平均輝度とその平均輝度に対応した最適なサスティンパルスの印加総数を示す情報とが対応付けされているルックアップテーブルが予め記憶されている。基本ＳＵＳパルス総数設定回路２６０は、このルックアップテーブル中から、上記平均輝度に対応したサスティンパルスの総数を示す情報を読み出す。そして、基本ＳＵＳパルス総数設定回路２６０は、かかるサスティンパルスの総数を表すＳＵＳパルス総数信号ＳＰＮをＳＦ数設定回路２３３、ＳＵＳパルス数割当演算回路２３４及び画面視覚輝度算出回路２６１に供給する。
【００６２】
画面視覚輝度算出回路２６１は、入力映像信号ＶＤ及びＳＵＳパルス総数信号ＳＰＮに基づき、視聴者がＰＤＰ１０の表示画面を眺めた際に実際に視覚される輝度（以下、画面視覚輝度と称する）を以下の如く算出する。
【００６３】
すなわち、例え入力映像信号ＶＤに基づく１フレーム画像の平均輝度が一定であっても、その画像中のピーク輝度が高い場合には低い場合に比して明るい画像に感じられる。つまり、ピーク輝度が高くなるほど、画面視覚輝度が高くなるのである。
【００６４】
そこで、かかる画面視覚輝度を求めるべく、画面視覚輝度算出回路２６１は、先ず、入力映像信号ＶＤに基づき、画像１フレーム（又は１フィールド）分毎の平均輝度（ＡＰＬ）を求める。次に、画面視覚輝度算出回路２６１は、入力映像信号ＶＤ及び上記ＳＵＳパルス総数信号ＳＰＮに基づき、画像１フレーム（又は１フィールド）分毎のピーク輝度（ＹPK）を検出する。次に、画面視覚輝度算出回路２６１は、図１２（ａ）に示す如き１次関数αに基づきピーク輝度ＹPKから画面視覚輝度補正値ＣＣを算出する。そして、画面視覚輝度算出回路２６１は、図１２（ｂ）に示す如き１次関数βに基づき平均輝度ＡＰＬから画面視覚輝度を表す画面視覚輝度信号ＹDSPを算出し、これを順応輝度算出回路２６２に供給する。この際、画面視覚輝度算出回路２６１は、図１２（ｂ）に示す如き１次関数βの傾きを画面視覚輝度補正値ＣＣに基づいて設定する。すなわち、画面視覚輝度補正値ＣＣが所定値と一致する場合には、図１２（ｂ）において実線にて示す１次関数βに基づき画面視覚輝度信号ＹDSPを算出する。画面視覚輝度補正値ＣＣが所定値よりも大なる場合には両者の差分値に対応した分だけ１次関数β（実線にて示す）の傾きを増加させた１次関数β1（一点鎖線にて示す）に基づき画面視覚輝度信号ＹDSPを算出する。一方、画面視覚輝度補正値ＣＣが所定値よりも小なる場合には両者の差分値に対応した分だけ１次関数β（実線にて示す）の傾きを低下させた１次関数β3（波線にて示す）に基づき画面視覚輝度信号ＹDSPを算出する。
【００６５】
すなわち、画面視覚輝度算出回路２６１では、入力映像信号ＶＤに基づく画像１フレーム分の平均輝度をその画像中のピーク輝度に応じて補正することにより、視聴者が視覚することになる表示画面の輝度、いわゆる画面視覚輝度（ＹDSP）を求めるのである。
【００６６】
順応輝度算出回路２６２は、環境照度信号Ｙ、視聴距離信号Ｌe及び画面視覚輝度信号ＹDSPに基づき、その視聴環境において視聴者がＰＤＰ１０の表示画面を眺めた際に視覚される輝度（以下、順応輝度と称する）を、例えば以下の演算式に基づいて算出し、これを視感度特性生成回路２６３に供給する。
【００６７】
ＪＹ＝｛Ｙ・Ｌe＋ＹDSP(Ｌe(MAX)−Ｌe)｝／Ｌe(MAX)
ＪＹ：順応輝度
Ｌe(MAX)：画像認識が可能な最大の視聴距離
すなわち、順応輝度算出回路２６２は、視聴距離（Ｌe）に基づく混合比にて環境照度（Ｙ）と画面視覚輝度（ＹDSP）とを混合することにより、視聴環境（環境照度、視聴距離）をも考慮して、視聴者がＰＤＰ１０の表示画面を眺めた際に実際に視覚される輝度（ＪＹ）を求めるのである。
【００６８】
視感度特性生成回路２６３には、順応輝度（ＪＹ）における各輝度値毎に、図１３に示す如き、入力映像信号に基づく表示画像の輝度レベルと、その画像を眺めた際に実際に視聴者が視覚することになる視覚上の輝度との対応関係を表す視感度特性データＬＣ１〜ＬＣ３が予め記憶されている。すなわち、人間が表示画面を眺めた際に実際に認識できる輝度変化に対する感度（視感度）は、例えば図１３中の視感度特性データＬＣ１に示すように、表示画像の輝度が低い場合には高い場合に比して高くなり、表示画像の微量な輝度変化まで認識できるようになる。更に、かかる視感度は、表示画像自体の輝度のみならず、前述した如き順応輝度（ＪＹ）の影響を受ける。例えば、順応輝度が低い場合（図１３中の視感度特性データＬＣ３）には、高い場合（図１３中の視感度特性データＬＣ１）に比して、表示画像に対する視感度は高くなる。そこで、図１３に示す如き、順応輝度毎の視感度特性を予め測定しておき、その視感度特性を表す視感度特性データ（ＬＣ１〜ＬＣ３）を内蔵メモリ（図示せぬ）に記憶させておくのである。
【００６９】
ここで、視感度特性生成回路２６３は、順応輝度信号ＪＹが所定の第１輝度よりも高い場合には図１３に示す如き視感度特性データＬＣ１〜ＬＣ３の内からＬＣ１を読み出し、これを視感度特性データＬＣＤとして基本ＳＦ区切値生成回路２３６に供給する。又、視感度特性生成回路２６３は、順応輝度信号ＪＹが上記第１照度よりも低く且つ所定の第２照度よりも高い場合には図１３に示す如き視感度特性データＬＣ１〜ＬＣ３の内からＬＣ２を読み出し、これを視感度特性データＬＣＤとして基本ＳＦ区切値生成回路２３６に供給する。又、視感度特性生成回路２６３は、順応輝度信号ＪＹが上記第２照度よりも低い場合には図１３に示す如き視感度特性データＬＣ１〜ＬＣ３の内からＬＣ３を読み出し、これを視感度特性データＬＣＤとして基本ＳＦ区切値生成回路２３６に供給する。
【００７０】
よって、かかる視感度特性データＬＣＤによれば、基本ＳＦ区切値生成回路２３６は、順応輝度が低い場合には、高輝度領域よりも低輝度領域に対してより多くのサブフィールドを割り当てるような基本ＳＦ区切値Ｓ１〜Ｓ(N）を生成することになる。従って、暗い画像に対する視感度が高くなるという順応輝度が低い状況、例えば暗い室内で暗い絵柄の画像を表示するような状況では、自動的に低輝度領域に対する階調数を増加させるようなサブフィールドの割当が為される。一方、順応輝度が高い場合には、基本ＳＦ区切値生成回路２３６は、低輝度領域よりも高輝度領域に対してより多くのサブフィールドを割り当てるような基本ＳＦ区切値Ｓ１〜Ｓ(N）を生成することになる。従って、明るい画像に対する視感度が高くなるという順応輝度が高い状況、例えば明るい室内で明るい絵柄の画像を表示するような状況では、自動的に高輝度領域に対する階調数を増加させるようなサブフィールドの割当が為される。
【００７１】
かかる動作によれば、視聴環境（視聴距離、環境照度）に追従させて、常に高品質な画像を提供することが可能となる。
【００７２】
尚、図１１に示される実施例においては、入力映像信号ＶＤに基づいて単位表示期間内に印加すべきサスティンパルスの総数（ＳＰＮ）を設定するようにしているが、そのサスティンパルス総数を上記順応輝度信号ＪＹに応じて調整するようにしても良い。
【００７３】
図１４は、かかる点に鑑みて為された図１１に示されるＳＦ構築回路２３の変形例を示す図である。
【００７４】
尚、図１４に示す構成では、図１１に示す基本ＳＵＳパルス総数設定回路２６０に代わり基本ＳＵＳパルス総数設定回路２７０及びパルス総数調整回路２７１を採用したものであり、その他の構成については図１１に示すものと同一なので、その動作説明は省略する。
【００７５】
図１４において、基本ＳＵＳパルス総数設定回路２７０は、先ず、映像信号ＶＤによって示される輝度レベルに基づき、画像１フレーム（又は１フィールド）分毎の平均輝度を求める。次に、基本ＳＵＳパルス総数設定回路２７０は、かかる平均輝度に応じて、単位表示期間内において印加すべきサスティンパルスの総数を決定する。例えば、基本ＳＵＳパルス総数設定回路２７０には、各平均輝度とその平均輝度に対応した最適なサスティンパルスの印加総数を示す情報とが対応付けされているルックアップテーブルが予め記憶されている。基本ＳＵＳパルス総数設定回路２７０は、このルックアップテーブル中から、上記平均輝度に対応したサスティンパルスの総数を示す情報を読み出す。そして、基本ＳＵＳパルス総数設定回路２７０は、かかるサスティンパルスの総数を表す基本ＳＵＳパルス総数信号ＳＰＮBAをパルス総数調整回路２７１に供給する。
【００７６】
パルス総数調整回路２７１は、基本ＳＵＳパルス総数信号ＳＰＮBAにて示されるサスティンパルス総数を、順応輝度信号ＪＹに応じて調整する。すなわち、パルス総数調整回路２７１は、順応輝度信号ＪＹにて示される順応輝度が高いほど、サスティンパルス総数を多くするような調整を基本ＳＵＳパルス総数信号ＳＰＮBAに対して施す。パルス総数調整回路２７１は、かかる調整処理によって得られたＳＵＳパルス総数信号ＳＰＮを、ＳＦ数設定回路２３３、ＳＵＳパルス数割当演算回路２３４及び画面視覚輝度算出回路２６１各々に供給する。
【００７７】
よって、図１４に示される内部構成を有するＳＦ構築回路２３によれば、順応輝度（ＪＹ）が低い場合には高い場合に比して、単位表示期間内において印加すべきサスティンパルスの総数が少なくなる。すなわち、順応輝度が低いが故に視感度が高まり、画面が眩しく感じられる場合には、サスティンパルス総数を低下させることにより画像全体の輝度を落とすのである。一方、順応輝度が高いが故に視感度が低くなり画像全体が暗く感じられる場合には、サスティンパルス総数を増加させることにより画像全体の輝度を上げるのである。
【００７８】
尚、図１１に示されるＳＦ構築回路２３では、基本ＳＵＳパルス総数設定回路２６０にて、入力映像信号ＶＤのみでサスティンパルス総数（ＳＰＮ）を求めるようにしているが、かかる構成に限定されない。
【００７９】
例えば、図１１において、基本ＳＵＳパルス総数設定回路２６０及びＳＦ数設定回路２３３に代わり、図１０に示す如き基本ＳＵＳパルス総数設定回路２３１、ＳＦ数設定回路２５１、２５２、最大値選択回路２５３、上限ＳＵＳパルス数決定回路２５４及び最小値選択回路２４３を採用しても良い。
【００８０】
又、図４、図９〜図１１及び図１４に示されるＳＦ区切値補正回路２３８では、基本ＳＦ区切値生成回路２３６にて生成された基本ＳＦ区切値Ｓ１〜Ｓ(N）各々を、累積輝度頻度データＳＱに基づき補正するようにしているが、視聴距離をも反映させて補正を行うようにしても良い。
【００８１】
図１５は、かかる点に鑑みて為された、図４に示されるＳＦ構築回路２３の変形例を示す図である。
【００８２】
尚、図１５に示されるＳＦ構築回路２３では、図４に示される構成に補正値生成回路２８０を追加すると共にパルス総数調整回路２３２を省き、ＳＦ区切値補正回路２３８に代わりＳＦ切値補正回路２８１を採用した点を除くその他の構成については図４に示すものと同一なので、その動作説明は省略する。
【００８３】
図１５において、補正値生成回路２８０は、視聴距離信号Ｌeにて示される視聴距離に基づき、図７に示す累積輝度頻度データＳＱを補正すべき補正値を示す補正データＳＣＤを生成し、これをＳＦ区切値補正回路２８１に供給する。すなわち、補正値生成回路２８０は、視聴距離（Ｌe）が所定距離よりも短い場合には、累積輝度頻度データＳＱに対する補正無しを表す補正値０の補正データＳＣＤをＳＦ区切値補正回路２８１に供給する。一方、視聴距離（Ｌe）が所定距離よりも長い場合には、図１６に示す如く、両者の差分だけ累積輝度頻度データＳＱにて示される各輝度レベル毎の累積頻度を補正させるべき補正値を示す補正データＳＣＤを生成する。すなわち、補正値生成回路２８０は、図１６に示す如く、累積輝度頻度データＳＱにて示される各輝度レベル毎の累積頻度からなる曲線を、視聴距離（Ｌe）と所定距離との差分に応じた分だけ一点波線にて示される直線形態に近づけるように補正させるべき補正データＳＣＤを生成し、これをＳＦ区切値補正回路２８１に供給する。
【００８４】
ＳＦ区切値補正回路２８１は、先ず、輝度ヒストグラム演算回路２３７から供給された累積輝度頻度データＳＱを上記補正データＳＣＤに従って図１６に示す如く補正する。次に、ＳＦ区切値補正回路２８１は、視感度特性生成回路２３５から供給された視感度曲線データＬＣＤにおける表示画像輝度スケール（０〜Ｙmax）に、上述した如く補正した累積輝度頻度データＳＱの累積頻度スケール（０〜全画素数）を一致させるように、この累積輝度頻度データＳＱを補正した図８に示す如き累積輝度頻度データＳＱＱを求める。次に、ＳＦ区切値補正回路２８１は、累積輝度頻度データＳＱＱにて示される対応関係にて、図８に示す如く、基本ＳＦ区切値Ｓ１〜Ｓ(N）各々をＳＦ区切値ＳＳ１〜ＳＳ(N）に変換する。かかる変換処理によれば、累積頻度が多くなる輝度領域ほど、サブフィールドが細かく区切られるように基本ＳＦ区切値Ｓ１〜Ｓ(N）各々が補正され、最終的なＳＦ区切値ＳＳ１〜ＳＳ(N）が得られる。つまり、環境照度を考慮した視感度を反映させて算出された基本ＳＦ区切値Ｓ１〜Ｓ(N）に対して、視聴距離を考慮して補正された累積輝度頻度データＳＱ（ＳＱＱ）に基づく補正を施すことによりＳＦ区切値ＳＳ１〜ＳＳ(N）が得られるのである。
【００８５】
よって、かかるＳＦ区切値ＳＳ１〜ＳＳ(N）に基づいて構築されたサブフィールド構造によれば、視聴距離が遠くなるほど、累積頻度が少ない輝度領域に割り当てるべきサブフィールド数が多くなるので、かかる輝度領域での階調数不足が解消された高品質な画像が視覚されるようになる。
【００８６】
尚、上記視感度特性生成回路２３５（又は２６３）としては、図５（又は図１３）に示す如き視感度曲線データ（ＬＣ１〜ＬＣ３）を予め用意しておくのでは無く、環境照度信号Ｙ（又は順応輝度ＪＹ）に応じた所定演算処理によって逐次、図５（又は図１３）に示す如き視感度曲線データを求めるものであっても良い。
【図面の簡単な説明】
【００８７】
【図１】本発明に基づくプラズマディスプレイ装置の概略構成を示す図である。
【図２】図１に示されるＰＤＰ１００を駆動する際の発光駆動シーケンスの一例を示す図である。
【図３】図１に示される視聴距離センサ２１及び照度センサ２２各々の設置箇所の一例を示す図である。
【図４】ＳＦ構築回路２３の内部構成の一例を示す図である。
【図５】視感度特性生成回路２３５における視感度曲線データＬＣＤの生成動作の一例を示す図である。
【図６】基本ＳＦ区切値生成回路２３６における基本ＳＦ区切値Ｓの生成動作の一例を表す図である。
【図７】輝度ヒストグラム演算回路２３７にて求められた累積輝度頻度データＳＱの一例を示す図である。
【図８】ＳＦ区切値補正回路２３８における基本ＳＦ区切値Ｓの補正動作の一例を示す図である。
【図９】ＳＦ構築回路２３の内部構成の他の一例を示す図である。
【図１０】ＳＦ構築回路２３の内部構成の他の一例を示す図である。
【図１１】ＳＦ構築回路２３の内部構成の他の一例を示す図である。
【図１２】図１１に示される画面視覚輝度算出回路２６１における画面視覚輝度信号ＹDSPの算出動作を表す図である。
【図１３】図１１に示される視感度特性生成回路２６３における視感度曲線データＬＣＤの生成動作の一例を示す図である。
【図１４】図１１に示されるＳＦ構築回路２３の内部構成の変形例を示す図である。
【図１５】ＳＦ構築回路２３の内部構成の他の一例を示す図である。
【図１６】図１５に示されるＳＦ区切値補正回路２８１における累積輝度頻度データＳＱの補正動作を表す図である。
【主要部分の符号の説明】
【００８８】
１０    ＰＤＰ
２０    駆動制御回路
２１    視聴距離センサ
２２    照度センサ
２３    ＳＦ構築回路
【図１】
2008268673.tif 000003
【図２】
2008268673.tif 000004
【図３】
2008268673.tif 000005
【図４】
2008268673.tif 000006
【図５】
2008268673.tif 000007
【図６】
2008268673.tif 000008
【図７】
2008268673.tif 000009
【図８】
2008268673.tif 000010
【図９】
2008268673.tif 000011
【図１０】
2008268673.tif 000012
【図１１】
2008268673.tif 000013
【図１２】
2008268673.tif 000014
【図１３】
2008268673.tif 000015
【図１４】
2008268673.tif 000016
【図１５】
2008268673.tif 000017
【図１６】
2008268673.tif 000018